(57)【要約】【課題】内筒を視度調整のために光軸方向に移動しても内筒自体は回転しない手術顕微鏡の接眼部構造を提供する。【解決手段】外筒６，７を回転させると外筒７の内面の螺旋溝１９にガイドされて、内筒４の突起１６が光軸方向へ進退動するが、その突起１６が非回転の中間筒５のストレート孔１７にガイドされているため、光軸方向に移動するが回転はしない。内筒４に乱視是正レンズ１０を追加したため、乱視の術者もメガネを外して手術することができる。【選択図】        図６
2017191121.tif 000002
【特許請求の範囲】
【請求項１】
視度調整レンズを内蔵した内筒と、回転操作される外筒を備えた手術顕微鏡の接眼部構造であって、
外筒と内筒との間に非回転の中間筒を設け、該中間筒にストレート孔を形成し、
外筒の内面には螺旋溝を形成し、
内筒の外面に形成した突起をストレート孔を介して螺旋溝に係合させたことを特徴とする手術顕微鏡の接眼部構造。
【請求項２】
内筒に乱視是正レンズを追加したことを特徴とする請求項１記載の手術顕微鏡の接眼部構造。
【請求項３】
内筒の端末に左右方向外側へ突出するサイド部を有するラバーを取付けたことを特徴とする請求項１又は請求項２記載の手術顕微鏡の接眼部構造。
【請求項４】
中間筒の基端側に外筒の表面よりも大径のフランジを形成したことを特徴とする請求項１〜３のいずれか１項に記載の手術顕微鏡の接眼部構造。
【発明の詳細な説明】
【技術分野】
【０００１】
本発明は手術顕微鏡の接眼部構造に関するものである。
【背景技術】
【０００２】
手術顕微鏡は術部を立体的に観察するために左右一対の接眼部を備えている。接眼部の内部には観察者の個人的な視力に対応して視度調整するための視度調整レンズが内蔵されている。
【０００３】
視度調整レンズは接眼部の内筒に固定され、外筒を回転させることにより内筒ごと光軸方向に移動する。視度調整レンズは内筒と一緒に回転しながら移動するようになっている（例えば、特許文献１参照）。
【先行技術文献】
【特許文献】
【０００４】
【特許文献１】特開２０１０−４９１１１号公報
【発明の概要】
【発明が解決しようとする課題】
【０００５】
しかしながら、このような関連技術にあっては、接眼部の内部の視度調整レンズは回転方向で指向性がないため、内筒と一緒に回転しても問題ないが、回転方向で指向性のある補正レンズは視度調整レンズに付加できない。例えば、乱視の術者が乱視是正レンズを内筒側に付加し、手術中はメガネを外していたいという要請がある。乱視是正レンズは向きが決まっており回転すると機能が損なわれるため、接眼部には付加できないという課題があった。
【０００６】
また一方で接眼部における内筒端末のラバーに左右方向外側へ突出したサイド部を形成したいという要請もある。これは横方向から接眼部内に外光が進入するのを防止するためである。この場合もサイド部の向きが決まっているため回転する内筒に取付けることができない。
【０００７】
本発明によれば、このような関連技術に着目してなされたものであり、視度調整のために内筒が光軸方向に移動しても光軸を中心に回転しない手術顕微鏡の接眼部構造を提供することができる。
【課題を解決するための手段】
【０００８】
本発明の第１の側面は、視度調整レンズを内蔵した内筒と、回転操作される外筒を備えた手術顕微鏡の接眼部構造であって、外筒と内筒との間に非回転の中間筒を設け、該中間筒にストレート孔を形成し、外筒の内面には螺旋溝を形成し、内筒の外面に形成した突起をストレート孔を介して螺旋溝に係合させたことを特徴とする。
【０００９】
本発明の第２の側面は、内筒に乱視是正レンズを追加したことを特徴とする。
【００１０】
本発明の第３の側面は、内筒の端末に左右方向外側へ突出するサイド部を有するラバーを取付けたことを特徴とする。
【００１１】
本発明の第４の側面は、中間筒の基端側に外筒の表面よりも大径のフランジを形成したことを特徴とする。
【発明の効果】
【００１２】
本発明の第１の側面によれば、外筒を回転させると外筒の内面の螺旋溝にガイドされて、内筒の突起が光軸方向へ進退動するが、その突起が非回転の中間筒のストレート孔にガイドされているため、内筒は光軸方向へ直線状に移動するが光軸を中心に回転はしない。
【００１３】
本発明の第２の側面によれば、内筒に乱視是正レンズを追加したため、乱視の術者もメガネを外して手術することができる。また乱視是正レンズが回転しないためその乱視是正機能は維持される。
【００１４】
本発明の第３の側面によれば、内筒の端末にサイド部を有するラバーを取付けたため、視度調整のために内筒を進退動させてもサイド部の位置は不変で、横方向からの外光の侵入を確実に防止することができる。
【００１５】
本発明の第４の側面によれば、中間筒の基端側に外筒の表面よりも大径のフランジを形成したため、接眼部を覆うドレープのシール部分がこのフランジに引っかかり、ドレープが接眼部の基端側へずれて接眼部が露出するおそれがない。
【図面の簡単な説明】
【００１６】
【図１】手術顕微鏡を示す斜視図。
【図２】接眼光学部を外した手術顕微鏡を示す斜視図。
【図３】手術顕微鏡の側面図。
【図４】接眼部を示す斜視図。
【図５】接眼部を示す断面図。
【図６】外筒を回転させる状態を示す断面図。
【図７】接眼部の分解斜視図。
【図８】接眼部の分解断面図。
【図９】接眼部の平面図。
【図１０】サイド部を示す正面図。
【図１１】ドレープで覆われた接眼部を示す側面図。
【発明を実施するための形態】
【００１７】
図１〜図１１は本発明の好適な実施形態を示す図である。
【００１８】
手術顕微鏡１の光束取出口１１には接眼光学部２が取付けられている。接眼光学部２は２つの接眼部３を有している。接眼部３は内筒４と中間筒５と外筒６、７から構成されている。外筒６、７は２部品から形成されている。中間筒５の基端側には外筒６の表面より外側へ突出する大径のフランジ８が形成されている。
【００１９】
内筒４には視度調整レンズ９が内蔵されている。また視度調整レンズ９の手前には乱視是正レンズ１０も付加されている。内筒４の先端にはラバー１２が取付けられている。このラバー１２は外光の侵入を防止するためのものである。ラバー１２には左右方向外側に突出したサイド部１３が一体的に形成されている。これは特に横からの外光の侵入を防止するためのものである。
【００２０】
接眼光学部２のリンク部１４にはプリズム１５が内蔵され、光束取出口１１から取り出された左右一対の光束Ｌがプリズム１５を経て接眼部３により術者の瞳に導かれる。
【００２１】
内筒４の外面には突起１６が取付けられている。中間筒５には光軸Ｋ（図６参照）に沿うストレート孔１７が形成されている。中間筒５はカラー１８、２２を介してリンク部１４へ固定され非回転状態となっている。外筒６、７は内面側の部品に螺旋溝１９が形成されている。内筒４の突起１６は中間筒５のストレート孔１７を介して外筒７の螺旋溝１９に係合されている。２３はストッパリングで、中間筒５に被せた状態で中間筒５のネジに螺合され、一部に形成されたスリット２４をスクリュー２５で締めてスリット２４を狭めることにより中間筒５のネジに固定され、外筒７の抜けを防止するためものもである。外筒７に対しては外筒６がピン２６で固定されるため、外筒６の抜けも防止される。
【００２２】
視度調整のために内筒４を進退動させる場合には、外筒６を手で持って回転させる。すると螺旋溝１９が突起１６に対して相対的に回転するため、回転方向に応じて突起１６を前後に押し、内筒４を光軸Ｋに沿って直線的に進退動させる。この時は突起１６が非回転の中間筒５のストレート孔１７内にガイドされているため、内筒４は進退動しても回転することはない。
【００２３】
従って乱視是正レンズ１０の指向性は保たれるため、術者に対する乱視防止機能を十分に発揮することができる。術者はメガネを外した状態で手術することができ、手術の効率を高めることができる。
【００２４】
また内筒４が回転しないため、内筒４の先端のラバー１２に形成されたサイド部１３も回転せず、横方向からの外光の侵入を確実に防止することができる。
【００２５】
更に、中間筒５の基端には外筒６の表面より大径のフランジ８が形成されているため、接眼部３を滅菌ドレープ２０で覆った場合、ドレープ２０の拘束テープ２１がこのフランジ８に引っかかり、ドレープ２０が接眼部３の基端側にずれて接眼部３が露出することを防止することができる。
【００２６】
以下、この発明の変形例を説明する。
【００２７】
外筒６、７を２部品で構成したが１部品で形成しても良い。
【００２８】
視度調整レンズ９に付加するレンズは乱視是正レンズ１０に限定されず、回転方向で指向性を有するその他の補正レンズでも良い。
【符号の説明】
【００２９】
１  手術顕微鏡
３  接眼部
４  内筒
５  中間筒
６、７  外筒
８  フランジ
９  視度調整レンズ
１０  乱視是正レンズ
１１  光束取出口
１２  ラバー
１３  サイド部
１６  突起
１７  ストレート孔
１９  螺旋溝
Ｌ  光束
Ｋ  光軸
【図１】
2017191121.tif 000003
【図２】
2017191121.tif 000004
【図３】
2017191121.tif 000005
【図４】
2017191121.tif 000006
【図５】
2017191121.tif 000007
【図６】
2017191121.tif 000008
【図７】
2017191121.tif 000009
【図８】
2017191121.tif 000010
【図９】
2017191121.tif 000011
【図１０】
2017191121.tif 000012
【図１１】
2017191121.tif 000013